(57)【特許請求の範囲】
【請求項１】
対地作業機（１４）に付設した傾斜センサ（６０）を用いて、対地作業機（１４）の左右傾斜を自動制御するトラクタ（１）において、左右旋回によって発生する遠心力を検出する３個の旋回角速度センサ（６１）（６２）（６３）を設け、
該中央角速度センサ（６１）は、ボンネット（３）後部の操向ハンドル（５）の下部に設け、前角速度センサ（６３）は、該ボンネット（３）内部前側に固定し、後角速度センサ（６２）は、対地作業機（１４）の傾斜センサ（６０）に隣接させて固定し、旋回時の傾斜センサ（６０）の検出値を修正すべく構成したことを特徴とするトラクタ。
【請求項２】
請求項１記載のトラクタにおいて、更に旋回時に前走行輪（４）の切角を検出する旋回半径検出用切角センサ（６４）と、トラクタ（１）の旋回移動速度を検出する車速センサ（６５）を設け、旋回時の傾斜センサ（６０）の検出値を修正すべく構成したことを特徴とするトラクタ。
【発明の詳細な説明】
【０００１】
【発明の属する技術分野】
本発明は、耕耘作業を行う耕耘ロータリ作業機、またはプラウなどの対地作業機を牽引するトラクタに関する。
【０００２】
【発明が解決しようとする課題】
従来、耕耘ロータリ作業機またはプラウなどの対地作業機を昇降自在に装設して耕耘作業を行うとき、左右傾斜動作を傾斜センサによって検出し、対地作業機を略水平に保つが、水田の代掻き作業などにおいて、対地作業機を着地させた状態で旋回することにより、旋回によって発生する回転モーメント（旋回半径中心を基点とする遠心力）によって傾斜センサが作動し、実際の左右傾斜と傾斜センサの検出値が相違する不具合があり、旋回時に誤制御によって対地作業機の旋回内側が下がるように傾くのを容易に防止し得ず、水平制御精度の向上などを容易に図り得ない等の問題があった。
【０００３】
【課題を解決するための手段】
本発明は、該課題を解決するために、次の如く構成したものである。
請求項１においては、対地作業機（１４）に付設した傾斜センサ（６０）を用いて、対地作業機（１４）の左右傾斜を自動制御するトラクタ（１）において、左右旋回によって発生する遠心力を検出する３個の旋回角速度センサ（６１）（６２）（６３）を設け、
該中央角速度センサ（６１）は、ボンネット（３）後部の操向ハンドル（５）の下部に設け、前角速度センサ（６３）は、該ボンネット（３）内部前側に固定し、後角速度センサ（６２）は、対地作業機（１４）の傾斜センサ（６０）に隣接させて固定し、旋回時の傾斜センサ（６０）の検出値を修正すべく構成したものである。
【０００４】
請求項２においては、請求項１記載のトラクタにおいて、更に旋回時に前走行輪（４）の切角を検出する旋回半径検出用切角センサ（６４）と、トラクタ（１）の旋回移動速度を検出する車速センサ（６５）を設け、旋回時の傾斜センサ（６０）の検出値を修正すべく構成したものである。
【０００５】
【発明の実施の形態】
以下、本発明の実施例を図面に基づいて詳述する。
図１は耕耘制御回路図、
図２は全体の側面図、
図３は同平面図、
図４は耕耘ロータリ作業機部の側面図、
図５は同背面説明図である。
【０００６】
図中（１）は走行車であるトラクタであり、エンジン（２）を内設させるボンネット（３）両側に左右の前走行輪（４）（４）を装設させ、前記ボンネット（３）後部に操向ハンドル（５）を設け、該ハンドル（５）後方に運転席（６）を設置させ、運転席（６）両側外方に左右の後走行輪（７）（７）を装設させる。
それと共に、運転席（６）前側のステップ（８）に、左右ブレーキペダル（９）（９）及びクラッチペダル（１０）を配設させ、作業者が運転席（６）に座乗して走行移動するように構成している。
【０００７】
また、前記走行輪（４）（７）を駆動するミッションケース（１１）にロワリンク（１２）及びトップリンク（１３）を介して、耕耘ロータリ作業機（１４）を取付ける。
該作業機（１４）をトラクタ（１）後側に昇降自在に装設させるもので、走行主変速レバー（１５）と、前記作業機（１４）を手動操作で昇降させるポジションコントロールレバー（１６）と、前記作業機（１４）を非作業上昇位置及び耕耘作業下降位置にワンタッチ動作で昇降させる昇降スイッチ（１７）を、運転席（６）の右側に配置させる。
それと共に、走行副変速レバー（１８）と、前記作業機（１４）への出力を変更させるＰＴＯ変速レバー（１９）を、運転席（６）の左側に配置させる。
【０００８】
さらに、前記作業機（１４）の中央にギアボックス（２０）を配置し、トラクタ（１）のＰＴＯ軸（２１）から動力を伝えると共に、前記ギアボックス（２０）側面より両側方にビーム（２２）を突出し、該ビーム（２２）のそれぞれの中途部に支持プレート（２３）を固設する。
該支持プレート（２３）の前端にはロワリンク（１２）を連結させ、支持プレート（２３）後端にはデプスフレーム（２４）の前端を枢支し、該デプスフレーム（２４）後端側に左右尾輪（２５）（２５）を設けている。
【０００９】
前記ビーム（２２）の外側端にチェーンケース（２６）上部とサイドサポート（２７）上部が固設され、該チェーンケース（２６）下部とサイドサポート（２７）下部の間に耕耘爪軸（２８）が横架される。
該耕耘爪軸（２８）上にナタ爪よりなる多数のロータリ爪（２９）…が側面視で放射状に植設されると共に、該ロータリ爪（２９）の回転軌跡上方がロータリカバー（３０）によって覆われ、両側はサイドカバー（３１）によって覆われている。
そして、該耕耘爪軸（２８）はギアボックス（２０）内のギア、ビーム（２２）内の伝動軸、チェーンケース（２６）内のスプロケット及びチェーンを介して駆動され、ロータリ爪（２９）…が回転されることによって耕耘ができる。
それと共に、ハンドル（３２）の回転操作によって耕耘爪軸（２８）軸芯を中心にロータリカバー（３０）を前後に回転させることができるようにしている。
【００１０】
そして、前記ビーム（２２）に固定するプレート（３３）を前方に突設させ、該プレート（３３）前端に支持杆（３４）が横架され、該支持杆（３４）に取付プレート（３５）が固定され、該取付プレート（３５）に切断刃（３６）の上部が固定されている。
なお、切断刃（３６）を左右幅方向でロワーリンク（１２）より機外側方に４本装着すると共に、切断刃（３６）の中間部は後方に湾曲させ、前後に傾斜させる切断刃（３６）の直線形下部を前記ロータリ爪（２９）の回転軌跡の前部内に後傾形に臨ませている。
つまり、側面視において切断刃（３６）の下部が、ロータリ爪（２９）の回転軌跡の前部でオーバーラップするように配置させると共に、切断刃（３６）とこれに隣り合うロータリ爪（２９）の左右方向間隔は狭くして、残耕ができないようにしている。
但し、外側２本の切断刃（３６）（３６）はロータリ爪（２９）と偏心爪（３７）の間に設ける。また、切断刃（３６）の後面とロータリカバー（３０）の間には仕切板（３８）が配設されている。
即ち、該仕切板（３８）は切断刃（３６）の背面に固設されており、仕切板（３８）をロータリカバー（３０）に接近させて、藁や雑草等が入り込み絡み付かないようにしている。
また、仕切板（３８）は三角形状に構成されて、上部の辺はロータリカバー（３０）の内側の形状に合わせ、前部の辺は切断刃（３６）の後面の形状に合わせて密着して固定できるようにし、後部の辺は円弧状として藁等を下方へ導く形状としている。
そして、仕切板（３８）の幅（板厚）は切断刃（３６）の幅より狭くして、藁や雑草等が絡みつかないようにしている。
【００１１】
さらに、ロータリ爪（２９）上側のロータリカバー（３０）後端に第１支点軸（３９）を介して鋼板製第１リヤカバー（４０）を上下方向に揺動自在に連結させ、第１リヤカバー（４０）後端にゴム製第２リヤカバー（４１）前端を固定させ、下方に均し空間（４２）を形成する第２リヤカバー（４１）後端に鋼板製第３リヤカバー（４３）前端を固定させる。
ロータリ爪（２９）の回転軌跡上端と略同じ高さまたはそれ以上に高い位置に、第１支点軸（３９）を取付け、耕耘作業時に第１支点軸（３９）を中心にリヤカバー（４０）（４１）（４３）が上昇することにより、ロータリ爪（２９）の回転軌跡後方でリヤカバー（４０）（４１）（４３）下方に大きな面積の均し空間（４２）が形成され、リヤカバー（４０）（４１）（４３）によって前方に押す土がロータリ爪（２９）の土跳ね上げ部に至るのを防止し、高速走行での耕耘作業によるロータリ爪（２９）の耕耘負荷増加を防止する。
耕耘作業時、ロータリ爪（２９）が地上に抜出する地点（Ａ）を中心とする半径の円弧線上に、リヤカバー（４０）（４１）（４３）が耕土によって持上げられて配置され、ロータリ爪（２９）の回転軌跡の面積の約５０パーセント以上の大きさの均し空間（４２）をロータリ爪（２９）回転軌跡後側とリヤカバー（４０）（４１）（４３）の間に形成させている。
細かい土塊または軽い土塊など小形物がロータリ爪（２９）によってロータリカバー（４０）（４１）下面の高位置に飛散され、大きい土塊または重い土塊または切り株（稲株）など大形物がロータリ爪（２９）によって低い位置に飛散され、ロータリ爪（２９）の飛散による比重分離作用によって小形物が上層となり、また大形物が下層となり、上層の小形物がリヤカバー（４１）（４３）によって均平にされ、後方のレーキ（５９）によって大形物がさらに下方に押下げられる。
従って、大形物によって培土内部の通気性及び通水性が良好に保たれると共に、播種または苗移植に適した状態に培土表層部が小形物によって形成される。
【００１２】
さらに、前記耕耘爪軸（２８）を中心に同一円周上に９０度の間隔で４本のロータリ爪（２９）…を取付け、各ロータリ爪（２９）先端側を交互に左右方向に向けて湾曲させ、耕耘爪軸（２８）の直交平面上で４本１列のロータリ爪（２９）…を耕耘爪軸（２８）軸芯線方向に複数列設ける。
左右方向で対向させるロータリ爪（２９）（２９）の先端軌跡間に間隙を設け、ロータリ爪（２９）の左右側方湾曲幅を先端軌跡間隙の約２倍の大きさとし、左右方向のロータリ爪（２９）（２９）基端間隔が先端軌跡間隙の約５倍の大きさになるようにロータリ爪（２９）を形成している。
また、前記ロータリ爪（２９）は土を切取った後に掬取る形状に湾曲させ、ロータリ爪（２９）の先端湾曲部の水平分力により土を横方向に押移動させる力並びにロータリ爪（２９）の弾力変形の横方向の反撥力により掬取り土を耕耘爪軸（２８）軸芯と略平行な横方向に押出し、左右ロータリ爪（２９）（２９）先端軌跡間隙の残耕となる部位の土を破砕させ、残耕が形成されるのを防ぐ構造とした。
従来のロータリ爪取付け本数の約７０パーセントの本数のロータリ爪（２９）…を取付け、ロータリ爪（２９）の回転速度を従来の回転速度（１分間に約２００〜４００回転）と略同一とし、トラクタ（１）の走行速度を従来の走行速度（１秒間に約０．５メートル）の約２倍とし、従来に比べて耕耘負荷を増大させることなく、作業能率を約２倍にして耕耘作業を行えるように構成している。
また、前記ロータリ爪（２９）の土中突入地点に対し側面視で重複する位置で前記切断刃（３６）を土中に突入させ、切断刃（３６）の土中突入部を後方傾斜支持させ、かつ切断刃（３６）の左右両面を幅を有する偏平面で形成し、牽引により切断刃（３６）が土中に進入する下向きの力と、切開される土が復元力によって切断刃（３６）側面に圧接する力が、切断刃（３６）の抜出し抵抗力として発生し、ロータリ爪（２９）の土中突入抵抗の反力と略等しいか若干大きい切断刃（３６）の抜出し抵抗力により、土中突入抵抗の反力によって耕耘ロータリ作業機（１４）全体が上方に持上げられるのを防ぎ、ロータリ爪（２９）が土中突入によって発生する衝撃を緩和させるように構成している。
なお、耕耘爪軸（２８）後方側では、リヤカバー（４０）（４１）（４３）の均平力の反力（持上げ力）に対向してロータリ爪（２９）抜出し力の反力が発生し、各反力の均衡によって耕耘姿勢を安定させる。
【００１３】
さらに、前記ミッションケース（１１）上面に設ける油圧リフトの左リフトアーム（４４）にリフトロッド（４５）を介して左ロワーリンク（１２）を連結させると共に、右リフトアーム（４６）に右ロワーリンク（１２）をローリングシリンダ（４７）によって連結させ、右リフトアーム（４６）を定位置に固定させた状態でローリングシリンダ（４７）のピストン（４８）出入により右ロワーリンク（１２）を上下に揺動させ、圃場耕盤と略平行になるようにロータリ作業機（１４）を左右に傾斜調節するもので、前記ピストン（４８）の出入量を検出するストロークセンサ（４９）を設け、トラクタ（１）に対する作業機（１４）の左右傾斜状態並びに傾斜調節量などを検出させるように構成している。
【００１４】
さらに、図１に示す如く、マイクロコンピュータで形成する耕耘コントローラ（５０）に、エンジン（２）の負荷検出手段である電子ガバナコントローラ（５１）を接続させる。
エンジン（２）の回転数を変更するラックアクチュエータ（図示省略）などを有する電子ガバナ（５２）と、作業者が操作するアクセルレバーまたはペダル（図示省略）の操作量を検出するポテンショメータ型アクセルセンサ（５３）と、エンジン（２）の回転数を検出するピックアップ型回転センサ（５４）を、前記電子ガバナコントローラ（５１）に接続させ、電子ガバナ（５２）制御によってエンジン（２）の回転数を変化させて走行速度を略一定に維持する。
それと共に、エンジン（２）の負荷基準値を設定する負荷設定器（５５）を前記耕耘コントローラ（５０）に入力接続させ、ロワリンク（１２）を介し作業機（１４）を昇降させる油圧昇降シリンダ（５６）の電磁式昇降バルブ（５７）に前記コントローラ（５０）を出力接続させ、電子ガバナコントローラ（５１）のエンジン（２）負荷検出によって昇降バルブ（５７）を自動制御して作業機（１４）のトラクタ（１）に対する支持高さを可変させ、作業機（１４）の耕耘深さを調節制御するように構成している。
【００１５】
さらに、前記コントロールレバー（１６）の作業機（１４）下降操作によってオンになるポジションスイッチ（５８）と、トラクタ（１）の左右傾斜動作の加速度を検出するジャイロ型傾斜角速度センサ（５９）と、前記作業機（１４）の左右傾斜動作（傾斜角度）を検出する傾斜センサ（６０）と、前記トラクタ（１）の左右旋回によって発生する遠心力を検出する中央角速度センサ（６１）、及び後角速度センサ（６２）及び前角速度センサ（６３）と、トラクタ（１）の旋回半径（前走行輪（４）切角）を検出する切角センサ（６４）と、トラクタ（１）の旋回移動速度を検出する車速センサ（６５）と、角速度センサ（６１）〜（６３）または切角及び車速の各センサ（６４）（６５）の入力を切換えるセンサ選択スイッチ（６６）と、ローリングシリンダ（４８）を作動させる電磁式油圧ローリングバルブ（６７）を、耕耘コントローラ（５０）に接続させ、前記各センサ（５９）（６０）の検出結果に基づき、各センサ（６１）〜（６５）によって傾斜センサ（６０）の検出値を補正し乍ら、コントローラ（５０）から左上げまたは右上げローリング駆動パルス信号を出力させ、ローリングバルブ（６７）を作動させ、ローリングシリンダ（４７）をパルス駆動によって作動させて作業機（１４）の左右傾斜を修正する。
トラクタ（１）が左右に傾動したとき、作業機（１４）の左右傾斜角度を傾斜センサ（６０）〜（６３）によって検出させると共に、トラクタ（１）の左右傾斜加速度を角速度センサ（５９）によって検出させ、作業機（１４）の水平制御を自動的に行わせるように構成している。
【００１６】
また、トラクタ（１）の前後方向機体中心線上で、後走行輪（７）の車軸軸芯線の略直上にセンサ台（６８）を介して前記傾斜角速度センサ（５９）を固定させると共に、前記作業機（１４）の左右幅中央で、爪軸（２８）の略直上にセンサ台（６９）を介して傾斜センサ（６０）を固定させるもので、前記センサ台（６９）を介して傾斜センサ（６０）に隣接させて後角速度センサ（６２）を固定させると共に、前記ボンネット（３）内部前側に前角速度センサ（６３）を固定させ、トラクタ（１）の前後方向機体中心線上に各センサ（５９）（６０）（６１）（６２）（６３）を配設させ、トラクタ（１）の左右旋回によって発生する遠心力（回転モーメント）を、各センサ（６１）（６２）（６３）によって検出する出力を、ファジイ制御または積分値などで演算し、また切角センサ（６４）と車速センサ（６５）の出力によってファジイ制御により演算させ、旋回時の遠心力による傾斜センサ（６０）の誤検出を修正し、遠心力の検出を除いた実際の傾斜検出値に基づいてローリングバルブ（６７）を作動させるように構成している。
なお、前記各センサ（６１）（６２）（６３）は、振動式ジャイロ、またはガスレートジャイロ、または光ファイバジャイロなどによって形成すると共に、ファジイ制御によって旋回時の遠心力を演算したり、出力の積分値（速度）によって旋回時の遠心力を演算し、傾斜センサ（６０）の検出値を修正する。
【００１７】
上記から明らかなように、傾斜角速度センサ（５９）と傾斜センサ（６０）を用いて対地作業機である耕耘ロータリ作業機（１４）の左右傾斜を自動制御するトラクタにおいて、旋回時の傾斜センサ（６０）の検出値を修正する旋回検出用中央または後または前角速度センサ（６１）（６２）（６３）を設け、代掻き作業など作業機（１４）を着地させて農作業及び水平制御を続行し乍ら行う旋回時に生じる遠心力を旋回検出用中央または後または前角速度センサ（６１）（６２）（６３）によって検出して、傾斜センサ（６０）の検出値の補正を行い、旋回時の傾斜センサ（６０）の誤検出による水平制御の誤動作を防止し、水平制御精度の向上などを図ると共に、旋回検出用後及び前角速度センサ（６２）（６３）を機体中央部から離間させて機体の後端部または前端部に取付け、Ｕターン（約１８０度の方向転換）など走行速度が遅くなる旋回時にも旋回角速度の検出を適正に行わせる一方、旋回時の傾斜センサ（６０）の検出値を修正する旋回半径検出用切角センサ（６４）と車速センサ（６５）を設け、旋回時に生じる遠心力を切角センサ（６４）と車速センサ（６５）の各出力から演算して傾斜センサ（６０）の検出値の補正を行い、旋回時の傾斜センサ（６０）の誤検出による水平制御の誤動作を防止し、水平制御精度の向上などを図れるように構成している。
【００１８】
本実施例は上記の如く構成するもので、図６のフローチャートに示す如く、ポジションコントロールレバー（１６）の作業機（１４）下げ操作によってポジションスイッチ（５８）がオンになり、昇降バルブ（５７）制御によって昇降シリンダ（５６）が下降動作し、作業機（１４）を着地させるもので、従来、例えば爪軸（２８）１回転当りの爪本数を１本で、爪軸回転数略１７０ｒｐｍ、車速０．５ｍ／ｓの作業条件で行われる作業を、爪軸（２８）１回転当りの爪本数を２本として、爪軸回転数略１７０ｒｐｍ、車速１〜１．５ｍ／ｓの作業条件で行うことにより、走行速度を従来の略２倍以上に高速にし、作業能率を大巾に向上させるものである。
【００１９】
また、角速度センサ（５９）入力によりトラクタ（１）の左傾または右傾を検出したとき、角速度センサ（５９）の検出結果に基づきローリングバルブ（６５）を切換えてローリングシリンダ（４７）を作動させ、左傾または右傾の修正を開始させると共に、傾斜センサ（６０）によって作業機（１４）の左傾または右傾を検出したとき、傾斜センサ（６０）の検出結果に基づきローリングシリンダ（４７）を作動させ、作業機（１４）の左上げまたは右上げ動作により、作業機（１４）の左右傾きを修正するもので、図７のフローチャートに示す如く、中央または後または前の角速度センサ（６１）（６２）（６３）のいずれかの出力によって旋回時に発生する遠心力を演算し、傾斜センサ（６０）の傾斜検出値をファジイ制御によって求めた旋回遠心力によって修正して水平目標値を演算し、そま水平目標値によってローリングシリンダ（４７）を作動させ、旋回遠心力によって作動する傾斜センサ（６０）値に基づく誤制御を防ぎ、実際の左右傾斜に基づいて水平制御を行わせるものである。
【００２０】
また、前記負荷設定器（５５）値入力と、ガバナコントローラ（５１）のエンジン（２）負荷入力により、エンジン（２）の負荷が適正になるように、作業機（１４）を昇降させて耕深を変更する昇降バルブ（５７）制御と、エンジン（２）の出力を増減させる電子ガバナ（５２）制御が自動的に行われるもので、エンジン（２）を適正負荷で運転し乍ら、作業機（１４）を水平に保って高速走行による耕耘作業を行わせるものである。
【００２１】
【発明の効果】
以上実施例から明らかなように本発明は、次のような効果を奏するのである。
傾斜センサ（６０）を用いて対地作業機（１４）の左右傾斜を自動制御するトラクタにおいて、旋回時の傾斜センサ（６０）の検出値を修正する旋回角速度センサ（６１）（６２）（６３）を設けたもので、旋回時に生じる遠心力を旋回角速度センサ（６１）（６２）（６３）によって検出して傾斜センサ（６０）の検出値の補正を行うから、旋回時の傾斜センサ（６０）の誤検出による水平制御の誤動作を容易に防止でき、水平制御精度の向上などを容易に図ることができるものである。
【００２２】
また、後角速度センサ（６２）と前角速度センサ（６３）は、機体中央部から離間させて取付けたもので、Ｕターン（約１８０度の方向転換）など走行速度が遅くなる旋回時にも旋回角速度の検出を適正に行わせることができ、旋回時の傾斜センサ（６０）の誤検出による水平制御の誤動作を防いで水平制御精度の向上を容易に図ることができるものである。
【００２３】
請求項２の如く構成したので、傾斜センサ（６０）を用いて対地作業機（１４）の左右傾斜を自動制御するトラクタにおいて、旋回時の傾斜センサ（６０）の検出値を修正する旋回半径検出用切角センサ（６４）と車速センサ（６５）を設けたもので、旋回時に生じる遠心力を切角センサ（６４）と車速センサ（６５）の各出力から演算して傾斜センサ（６０）の検出値の補正を行うから、旋回時の傾斜センサ（６０）の誤検出による水平制御の誤動作を容易に防止でき、水平制御精度の向上などを容易に図ることができるものである。
【図面の簡単な説明】
【図１】  耕耘制御回路図。
【図２】  全体の側面図。
【図３】  同平面図。
【図４】  耕耘ロータリ作業機の側面図。
【図５】  同部の背面説明図。
【図６】  水平制御フローチャート。
【図７】  水平目標修正制御フローチャート。
【符号の説明】
（１）  トラクタ
（１４）  耕耘ロータリ作業機（対地作業機）
（６０）  傾斜センサ
（６１）  中央角速度センサ
（６２）  後角速度センサ
（６３）  前角速度センサ
（６４）  切角センサ
（６５）  車速センサ
【図１】
0003655073.tif 000002
【図２】
0003655073.tif 000003
【図３】
0003655073.tif 000004
【図４】
0003655073.tif 000005
【図５】
0003655073.tif 000006
【図６】
0003655073.tif 000007
【図７】
0003655073.tif 000008